(57)【要約】  無線通信の方法は、短縮されたアップリンク送信フォーマットの使用と、サブフレームの終了時におけるサイレント期間の生成とを行うようにユーザ機器（ＵＥ）を促す仮想ＳＲＳ（サウンディング基準信号）送信を設定することを含む。サイレント期間中に観察された干渉を示すＵＥからのレポートが受信される。
2013528033.tif 000002
【特許請求の範囲】
【請求項１】
セル間干渉制御（ＩＣＩＣ）のための方法であって、
短縮されたアップリンク送信フォーマットの使用と、サブフレームの終わりにおけるサイレント期間の生成とを行うようにユーザ機器（ＵＥ）を促す仮想ＳＲＳ（サウンディング基準信号）送信を設定することと、
前記サイレント期間中に観察された干渉の、前記ＵＥからのレポートを受信することと、
を備える方法。
【請求項２】
前記観察された干渉は、熱雑音およびその他の干渉を含む、請求項１に記載の方法。
【請求項３】
前記ＵＥの電力およびレートを調節するために、ＩＣＩＣ（セル間干渉制御）中に、前記レポートからの情報を適用すること、をさらに備える請求項１に記載の方法。
【請求項４】
第１のタイプのサブフレームにおいて、第１の電力クラスのＵＥの仮想ＳＲＳ送信を設定することと、
第２のタイプのサブフレームにおいて、ピア・トゥ・ピアＵＥの仮想ＳＲＳを設定することと、
前記サイレント期間中、および、前記第２のタイプのサブフレームの送信中に観察された前記第１の電力クラスのＵＥからの干渉の第２のレポートを、前記ピア・トゥ・ピアＵＥから受信することと、
をさらに備える請求項１に記載の方法。
【請求項５】
第１のタイプのサブフレームにおいて、第１のピア・トゥ・ピアＵＥグループの仮想ＳＲＳを設定することと、
第２のタイプのサブフレームにおいて、第２のピア・トゥ・ピアＵＥグループの仮想ＳＲＳを設定することと、
前記サイレント期間中、および、前記第２のタイプのサブフレームの送信中に観察された前記第１のピア・トゥ・ピアＵＥグループからの干渉の第２のレポートを、前記第２のピア・トゥ・ピアＵＥグループから受信することと、
をさらに備える請求項１に記載の方法。
【請求項６】
熱雑音を測定することを可能にするために、前記仮想ＳＲＳ送信を、少なくとも１つの別のｅノードＢと調整すること、をさらに備える請求項１に記載の方法。
【請求項７】
少なくとも１つの干渉元のＵＥを位置決めするために、前記仮想ＳＲＳ送信を、少なくとも１つの別のｅノードＢと調整すること、をさらに備える請求項１に記載の方法。
【請求項８】
セル間干渉制御（ＩＣＩＣ）のための方法であって、
サブフレーム中、サウンディング基準信号（ＳＲＳ）を送信していない間、前記サブフレームにおける、短縮されたアップリンク送信フォーマットの使用と、前記サブフレームの終わりにおけるサイレント期間の生成とを行うようにユーザ機器（ＵＥ）に指示する仮想ＳＲＳ設定を受信することと、
前記サイレント期間中に干渉を測定することと、
を備える方法。
【請求項９】
無線通信のための装置であって、
短縮されたアップリンク送信フォーマットの使用と、サブフレームの終わりにおけるサイレント期間の生成とを行うようにユーザ機器（ＵＥ）を促す仮想ＳＲＳ（サウンディング基準信号）送信を設定する手段と、
前記サイレント期間中に観察された干渉の、前記ＵＥからのレポートを受信する手段と、
を備える装置。
【請求項１０】
無線通信のための装置であって、
サブフレーム中、サウンディング基準信号（ＳＲＳ）を送信していない間、前記サブフレームにおける、短縮されたアップリンク送信フォーマットの使用と、前記サブフレームの終わりにおけるサイレント期間の生成とを行うようにユーザ機器（ＵＥ）に指示する仮想ＳＲＳ設定を受信する手段と、
前記サイレント期間中に干渉を測定する手段と、
を備える装置。
【請求項１１】
無線ネットワークにおける無線通信のためのコンピュータ・プログラム製品であって、
記録されたプログラム・コードを有するコンピュータ読取可能な媒体を備え、前記プログラム・コードは、
短縮されたアップリンク送信フォーマットの使用と、サブフレームの終わりにおけるサイレント期間の生成とを行うようにユーザ機器（ＵＥ）を促す仮想ＳＲＳ（サウンディング基準信号）送信を設定するためのプログラム・コードと、
前記サイレント期間中に観察された干渉の、前記ＵＥからのレポートを受信するためのプログラム・コードと
を備える、コンピュータ・プログラム製品。
【請求項１２】
無線ネットワークにおける無線通信のためのコンピュータ・プログラム製品であって、
記録されたプログラム・コードを有するコンピュータ読取可能な媒体を備え、前記プログラム・コードは、
サブフレーム中、サウンディング基準信号（ＳＲＳ）を送信していない間、前記サブフレームにおける、短縮されたアップリンク送信フォーマットの使用と、前記サブフレームの終わりにおけるサイレント期間の生成とを行うようにユーザ機器（ＵＥ）に指示する仮想ＳＲＳ設定を受信するためのプログラム・コードと、
前記サイレント期間中に干渉を測定するためのプログラム・コードと
を備える、コンピュータ・プログラム製品。
【請求項１３】
無線通信のためのシステムであって、
メモリと、
前記メモリに接続された少なくとも１つのプロセッサとを備え、
前記少なくとも１つのプロセッサは、
短縮されたアップリンク送信フォーマットの使用と、サブフレームの終わりにおけるサイレント期間の生成とを行うようにユーザ機器（ＵＥ）を促す仮想ＳＲＳ（サウンディング基準信号）送信を設定し、
前記サイレント期間中に観察された干渉の、前記ＵＥからのレポートを受信する
ように構成された、システム。
【請求項１４】
前記観察された干渉は、熱雑音およびその他の干渉を含む、請求項１３に記載のシステム。
【請求項１５】
前記プロセッサはさらに、前記ＵＥの電力およびレートを調節するために、ＩＣＩＣ（セル間干渉制御）中に、前記レポートからの情報を適用するように構成された、請求項１３に記載のシステム。
【請求項１６】
前記プロセッサはさらに、
第１のタイプのサブフレームにおいて、第１の電力クラスのＵＥの仮想ＳＲＳ送信を設定し、
第２のタイプのサブフレームにおいて、ピア・トゥ・ピアＵＥの仮想ＳＲＳを設定し、
前記サイレント期間中、および、前記第２のタイプのサブフレームの送信中に観察された前記第１の電力クラスのＵＥからの干渉の第２のレポートを、前記ピア・トゥ・ピアＵＥから受信する
ように構成された、請求項１３に記載のシステム。
【請求項１７】
前記プロセッサはさらに、
第１のタイプのサブフレームにおいて、第１のピア・トゥ・ピアＵＥグループの仮想ＳＲＳを設定し、
第２のタイプのサブフレームにおいて、第２のピア・トゥ・ピアＵＥグループの仮想ＳＲＳを設定し、
前記サイレント期間中、および、前記第２のタイプのサブフレームの送信中に観察された前記第１のピア・トゥ・ピアＵＥグループからの干渉の第２のレポートを、前記第２のピア・トゥ・ピアＵＥグループから受信する
ように構成された、請求項１３に記載のシステム。
【請求項１８】
前記プロセッサはさらに、熱雑音を測定することを可能にするために、前記仮想ＳＲＳ送信を、少なくとも１つの別のｅノードＢと調整するように構成された、請求項１３に記載のシステム。
【請求項１９】
前記プロセッサはさらに、少なくとも１つの干渉元のＵＥを位置決めするために、前記仮想ＳＲＳ送信を、少なくとも１つの別のｅノードＢと調整するように構成された、請求項１３に記載のシステム。
【請求項２０】
無線通信のためのシステムであって、
メモリと、
前記メモリに接続された少なくとも１つのプロセッサとを備え、
前記少なくとも１つのプロセッサは、
サブフレーム中、サウンディング基準信号（ＳＲＳ）を送信していない間、前記サブフレームにおける、短縮されたアップリンク送信フォーマットの使用と、前記サブフレームの終わりにおけるサイレント期間の生成とを行うようにユーザ機器（ＵＥ）に指示する仮想ＳＲＳ設定を受信し、
前記サイレント期間中に干渉を測定する
ように構成された、システム。
【発明の詳細な説明】
【優先権主張】
【０００１】
本願は、２０１０年４月１５日に出願された、「アドバンスト・ロング・ターム・イボリューション（ＬＴＥ−Ａ）ネットワークにおいて、サウンディング基準信号（ＳＲＳ）設定を用いて調整されたサイレント期間」（COORDINATED SILENT PERIOD WITH SOUNDING REFERENCE SIGNAL (SRS) CONFIGURATION IN ADVANCED LONG TERM EVOLUTION (LTE-A) NETWORKS）、と題された米国仮特許出願６１／３２４，７０５号の利益を主張する。この開示は、全体が参照によって本明細書に明確に組み込まれている。
【技術分野】
【０００２】
本開示のある態様は、一般に、無線通信システムに関し、さらに詳しくは、アップリンク・サイレント期間に基づく干渉管理に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉に遭遇しうる。アップリンクでは、ＵＥからの送信が、近隣の基地局と通信する別のＵＥのアップリンク送信からの、または、別の無線ＲＦ送信機からの干渉に遭遇しうる。この干渉は、ダウンリンクとアップリンクとの両方のパフォーマンスを低下させうる。
【０００６】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
１つの態様では、無線通信の方法が開示される。この方法は、短縮されたアップリンク送信フォーマットの使用と、サブフレームの終わりにおけるサイレント期間の生成とを行うようにユーザ機器（ＵＥ）を促す仮想ＳＲＳ（サウンディング基準信号）送信を設定することを含む。サイレント期間中に観察された干渉のＵＥからのレポートが受信される。
【０００８】
別の態様では、無線通信の方法は、サブフレーム中、サウンディング基準信号（ＳＲＳ）を送信していない間、このサブフレームにおける、短縮されたアップリンク送信フォーマットの使用と、サブフレームの終わりにおけるサイレント期間の生成とを行うようにユーザ機器（ＵＥ）に指示する仮想ＳＲＳ設定を受信することを開示する。このサイレント期間中、干渉が測定される。
【０００９】
別の態様では、装置が開示される。この装置は、短縮されたアップリンク送信フォーマットの使用と、サブフレームの終わりにおけるサイレント期間の生成とを行うようにユーザ機器（ＵＥ）を促す仮想ＳＲＳ（サウンディング基準信号）送信を設定する手段を含む。サイレント期間中に観察された干渉のＵＥからのレポートを受信する手段も含まれる。
【００１０】
１つの態様では、無線通信のための装置は、サブフレーム中、サウンディング基準信号（ＳＲＳ）を送信していない間、このサブフレームにおける、短縮されたアップリンク送信フォーマットの使用と、サブフレームの終わりにおけるサイレント期間の生成とを行うようにユーザ機器（ＵＥ）に指示する仮想ＳＲＳ設定を受信する手段を含む。サイレント期間中に干渉を測定する手段も含まれる。
【００１１】
別の態様では、無線ネットワークにおける無線通信のためのコンピュータ・プログラム製品が開示される。コンピュータ読取可能な媒体は、１または複数のプロセッサによって実行された場合に、１または複数のプロセッサに対して、短縮されたアップリンク送信フォーマットの使用と、サブフレームの終わりにおけるサイレント期間の生成とを行うようにユーザ機器（ＵＥ）を促す仮想ＳＲＳ（サウンディング基準信号）送信を設定する動作を実行させる、記録されたプログラム・コードを有する。プログラム・コードはまた、１または複数のプロセッサに対して、サイレント期間中に観察された干渉のＵＥからのレポートを受信させる。
【００１２】
別の態様は、無線ネットワークにおける無線通信のためのコンピュータ・プログラム製品を開示する。コンピュータ読取可能な媒体は、１または複数のプロセッサによって実行された場合に、１または複数のプロセッサに対して、サブフレーム中、サウンディング基準信号（ＳＲＳ）を送信していない間、このサブフレームにおける、短縮されたアップリンク送信フォーマットの使用と、サブフレームの終わりにおけるサイレント期間の生成とを行うようにユーザ機器（ＵＥ）に指示する仮想ＳＲＳ設定を受信する動作を実行させる、記録されたプログラム・コードを有する。送信しないことにより、サブフレームの終わりにサイレント期間が生成される。このプログラム・コードはまた、１または複数のプロセッサに対して、サイレント期間中に干渉を測定させる。
【００１３】
別の態様は、メモリと、メモリに接続された少なくとも１つのプロセッサとを有する、無線通信のためのシステムを開示する。プロセッサ（単数または複数）は、短縮されたアップリンク送信フォーマットの使用と、サブフレームの終わりにおけるサイレント期間の生成とを行うようにユーザ機器（ＵＥ）を促す仮想ＳＲＳ（サウンディング基準信号）送信を設定するように構成される。プロセッサはまた、サイレント期間中に観察された干渉のＵＥからのレポートを受信するように構成される。
【００１４】
別の態様では、メモリと、メモリに接続された少なくとも１つのプロセッサとを有する、無線通信のためのシステムが開示される。プロセッサ(単数または複数)は、サブフレーム中、サウンディング基準信号（ＳＲＳ）を送信していない間、このサブフレームにおける、短縮されたアップリンク送信フォーマットの使用と、サブフレームの終わりにおけるサイレント期間の生成とを行うようにユーザ機器（ＵＥ）に指示する仮想ＳＲＳ設定を受信するように構成される。プロセッサはまた、サイレント期間中に干渉を測定するように構成される。
【００１５】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１６】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３ａ】図３ａは、アップリンク通信におけるフレーム構造の例を概念的に例示するブロック図である。
【図３ｂ】図３ｂは、アップリンク通信におけるフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、マクロＵＥとピア・トゥ・ピア・デバイスとの間で調整されたＳＲＳ送信を例示するブロック図である。
【図６Ａ】図６Ａは、設定されたＳＲＳ送信を用いて調整されたサイレント期間のための方法を例示するブロック図である。
【図６Ｂ】図６Ｂは、設定されたＳＲＳ送信を用いて調整されたサイレント期間のための方法を例示するブロック図である。
【発明を実施するための形態】
【００１７】
添付図面とともに以下に説明する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１９】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”として称される）について記載されており、このようなＬＴＥ−Ａ用語が以下の説明の多くで使用される。
【００２０】
図１は、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効範囲を提供する。３ＧＰＰでは、用語「セル」は、この用語が使用される文脈に依存して、この有効通信範囲エリアにサービス提供しているｅノードＢおよび／またはｅノードＢサブシステムからなるこの特定の地理的有効通信範囲エリアを称しうる。
【００２１】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連を持つＵＥ（例えば、クローズド加入者グループ（ＣＳＧ）におけるＵＥ）、住宅内のユーザのためのＵＥ等による無制限のアクセスを提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２、３、４個等）のセルをサポートしうる。
【００２２】
無線ネットワーク１００はさらに、中継局をも含みうる。中継局は、データおよび／またはその他の情報の送信を上流局（例えば、ｅノードＢまたはＵＥ）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２３】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２４】
無線ネットワーク１００は、同期動作または非同期動作をサポートしうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２５】
１つの態様では、無線ネットワーク１００は、周波数分割多重（ＦＤＤ）動作モードまたは時分割多重（ＴＤＤ）動作モードをサポートしうる。ここに記載された技術は、ＦＤＤ動作モードまたはＴＤＤ動作モードの何れかのために使用されうる。
【００２６】
ネットワーク・コントローラ１３０は、ｅノードＢ１１０のセットに接続しており、これらｅノードＢ１１０のための調整および制御を提供しうる。ネットワーク・コントローラ１３０は、バックホール１３２を介してｅノードＢ１１０と通信しうる。ｅノードＢ１１０はまた、例えば、ダイレクトに、または、無線バックホール１３４または有線バックホールを介して非ダイレクトに、互いに通信しうる。
【００２７】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、２つの矢印を持つ実線が、ＵＥと、ダウンリンクおよび／またはアップリンクでＵＥにサービス提供するように指定されたｅノードＢであるサービス提供ｅノードＢとの間の所望の送信を示す。２つの矢印を持つ破線は、ＵＥとｅノードＢとの間の干渉送信を示す。
【００２８】
ＬＴＥは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ区分されうる。例えば、サブ帯域は、１．０８ＭＨｚ（すなわち、６リソース・ブロック）をカバーし、１．２５，２．５，５，１０，または２０ＭＨｚの対応するシステム帯域幅についてそれぞれ１，２，４，８，または１６のサブ帯域が存在しうる。
【００２９】
図２は、ＬＴＥにおいて使用されるダウンリンクＦＤＤ構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００３０】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００３１】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００３２】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間におけるシステム帯域幅全体でＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３３】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。制御チャネルのために使用されるシンボルについて、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧのある組み合わせのみが、ＰＤＣＣＨのために許可されうる。
【００３４】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３５】
ＵＥは、複数のｅノードＢの有効通信範囲内に存在しうる。これらのｅノードＢのうちの１つは、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３６】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥに、データ・セクション内に、連続するサブキャリアのすべてが割り当てられるようになる。
【００３７】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、ＵＬリソースで並列なチャネルが送信されうる。例えば、制御およびデータ・チャネル、並列制御チャネル、および並列データ・チャネルが、ＵＥによって送信されうる。
【００３８】
ＰＳＣ、ＳＳＣ、ＣＲＳ、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（"Evolved Universal Terrestrial Radio Access (E-UTRA); Physical Channels and Modulation）と題された３ＧＰＰ  ＴＳ  ３６．２１１に記載されている。
【００３９】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００４０】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データ情報および制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００４１】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００４２】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信される。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得される。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００４３】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図６に例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４４】
複数のマクロｅノードＢの間、ヘテロジニアスなネットワークにおける異なる電力クラスの間、ピア・トゥ・ピア（Ｐ２Ｐ）発見および通信のために、セル間干渉制御（ＩＣＩＣ）が使用されうる。一般に、セル間干渉制御を実施することは、干渉対熱（ＩｏＴ）推定値を取得することを含む。アップリンク通信のための干渉推定値を評価する際に、結合されたセル内干渉およびセル間干渉のみならず、熱雑音もまた、他のＵＥの干渉から分離することが困難である。これらさまざまなタイプの干渉がともに結合されているので、熱雑音に起因する干渉部分のみならず、他のＵＥからの干渉に起因する部分も推定することが困難でありうる。
【００４５】
本開示の１つの態様は、干渉レベルを推定することと、適切に設定されていれば、熱雑音を推定することとのための方法を提供する。一例では、設定されたサイレント期間は、他のセル干渉および／または他の電力クラス干渉の正確な干渉対熱（ＩｏＴ）測定を可能にするように調整される。特に、送信されるサブフレーム内にサイレント期間（またはサイレント・シンボル）を生成するように仮想ＳＲＳ（サウンディング基準信号）が設定される
一般に、ＳＲＳは、最後のＯＦＤＭシンボルで送信される。通常のサイクリック・プレフィクス（ＣＰ）には１４のシンボルが、拡張されたサイクリック・プレフィクスには１２のシンボルが存在する。一例では、最後のシンボルは空として設定され、干渉対熱（ＩｏＴ）レベルは、サイレント・シンボル期間内で測定されうる。
【００４６】
図３Ｂに示すように、ＳＲＳは、例えばサブフレーム３１６，３１８のようなサブフレームの最後のＯＦＤＭシンボル３１４，３１５内に設定されうる。ＳＲＳが設定されている場合、最後のシンボルにおけるＳＲＳと衝突しないように、他のチャネルは短縮またはパンクチャされうる。例えば、ＰＵＣＣＨ３１０は、サブフレーム３１６の、１４ではなく、１３のシンボルを占有する。同様に、ＳＲＳが設定されている場合、ＰＵＳＣＨ１２は、サブフレーム３１８の１３のシンボルのみを占有する。ｅノードＢは、ＳＲＳを設定する。そして、ＳＲＳが送信される場合、制御をも行いうる。ｅノードＢからの設定情報は、すべてのＵＥによって共有され、これによって、ＵＥは、最後のシンボルがＳＲＳ送信のためにいつ使用されるのかを認識するようになり、ＵＥはその後、制御／データ送信のために、短縮されたフォーマットを使用しうる。
【００４７】
一例では、サイレント期間がＵＥグループ内で、仮想ＳＲＳによって調整されうる。当業者であれば、ＵＥグループは、マクロＵＥ、フェムトＵＥ、Ｐ２Ｐ（ピア・トゥ・ピア）デバイス等を含みうることを認識するだろう。一例では、セルおよびＵＥに特定のＳＲＳ送信が設定され、これによって、特定のアップリンク・チャネルが、短縮されたフォーマットで送信されるようになる。仮想ＳＲＳ送信は１つのシンボルのためにスケジューリングされるが、グループ内のＵＥは、実際にＳＲＳを送信しないだろう。ＵＥは、ＳＲＳが送信されるだろうと信じているので、ＰＵＳＣＨおよびＰＵＣＣＨそれぞれの送信のために、短縮されたフォーマットを使用する。したがって、例えばスロット３１４，３１５のような、サブフレームの最後のスロットにおいてサイレント・シンボルが生成される。さらに、通常の通信が中断されない。生成されたサイレント期間内では、別のセル／グループからの干渉が測定されうる。言い換えると、ＵＥセル／グループが、最後のシンボルにおいてともにサイレントになるように調整されると、セル間干渉は無くなり、もって、測定値は、熱雑音のみしか含まなくなるであろう。さらに、グループ内のどのＵＥも、最後のシンボルで送信しないので、この測定値は、セル内干渉を除外した推定値を提供する。当業者であれば、代替例において、サブフレーム３１６，３１８の最後の２つのスロットでサイレント期間が生成されうることを認識するであろう。１つの態様では、仮想ＳＲＳ送信は、許容可能な最大数のリソース・ブロックおよび所望の周期で設定されうる。別の態様では、仮想ＳＲＳは、ゼロ電力で送信される。
【００４８】
ｅノードＢは、ＳＲＳ設定を認識しており、最後のシンボルが空であると認識しているので、ｅノードＢは、最後のシンボルでエネルギを測定しうる。測定されたエネルギは、熱雑音とその他のセル干渉との組み合わせである。言い換えれば、測定値は、同じセル内の他のユーザからの熱エネルギおよびセル間干渉が組み合された測定値を生成する。
【００４９】
別の態様では、異なるレベルの調整が、設定されうる。一例では、セル内調整が設定されうる。ｅノードＢは、セル内調整を用いて、自身のセル内のサイレント期間設定を制御しうる。特に、セル内調整は、セル内において、最後のシンボルに、ある周期を持ってサイレント期間を設定することを可能にする。ｅノードＢは、そのセルのＳＲＳ送信を制御しうる。そして、他のセル干渉が推定されうる。他のセルにおいて何の情報（例えば、ＰＵＣＣＨ、ＰＵＳＣＨ、ＳＲＳ）が送信されているのか不明であるので、セル内調整は、強い干渉を引き起こす特定のどのＵＥも特定しない。スケジューリング履歴の分析は、干渉元のＵＥ(単数または複数)をピンポイントしうる。干渉元のＵＥ(単数または複数)が特定されると、干渉レベルを低減するために、ＵＥ(単数または複数)に対して電力制御が適用されうる。セル内調整が説明されているが、これらの概念は、グループ内調整にも等しく適合する。
【００５０】
別の例では、セル間調整が実施されうる。１つのセルが最後にシンボルにおいてサイレントである場合、他のセル（単数または複数）がＳＲＳを送信できるように、セル間調整を用いて、複数のセルが調整される。ｅノードＢ  ＡおよびｅノードＢ  Ｂを含む例では、ｅノードＢ  Ａは、特定の期間においてサイレントになるようにＵＥを設定し、ｅノードＢ  Ｂは、この特定の期間中にのみＳＲＳを送信するようにＵＥを設定しうる。さらに、ｅノードＢ  Ａは、ｅノードＢ  Ｂからの干渉を推定し、この推定値を、ｅノードＢ  Ｂに送信しうる。ｅノードＢ  Ｂは、周波数領域にわたる値の違いを取得し、ｅノードＢ  Ｂは、ＳＲＳ設定を比較し、干渉源である特定のＵＥ（単数または複数）をピンポイントしうる。これによって、ｅノードＢ  Ａは、電力を低減することによって、他のセルの干渉を低減できるようになる。セル間調整が説明されているが、これらの概念は、グループ間調整に等しく適合する。
【００５１】
別の例はピア・トゥ・ピア（Ｐ２Ｐ）デバイスのために調整されたサイレント期間を設定することを備える。２つのＵＥが距離的に接近している場合、ＵＥは、ｅノードＢをバイパスし、互いにダイレクトに通信できうる。これらのＵＥは、ピア・トゥ・ピアＵＥと呼ばれる。セル特有のＳＲＳインスタンスによって、設定されたサブフレームの最後のシンボルに、アップリンク・サイレンス期間を生成できるようになる。セル特有のＳＲＳ設定は、セル内の全てのＵＥからＳＲＳがいつ送信されるのかを決定する。ＵＥ特有のＳＲＳ設定は、セル特有のサブフレームをマップしうる。例えば、マクロＵＥは、奇数のサブフレームに割り当てられうる一方、ピア・トゥ・ピアＵＥは、偶数のサブフレームに割り当てられうる。ＵＥ特有のＳＲＳ設定をインタレースすることによって、ユーザを個別のサブフレームにグループ化できるようになる。ＵＥ特有のＳＲＳ設定は、特定のＵＥからＳＲＳがいつ送信されるのかを決定する。
【００５２】
ピア・トゥ・ピアＵＥのペアは、マクロ・ネットワークと共存する場合、すべて同じリソースを共有し、マクロＵＥとＰ２Ｐ  ＵＥとの間の相互干渉が生じるであろう。一例では、Ｐ２Ｐ  ＵＥとマクロＵＥとが受ける干渉量は、干渉制御を適用することによって低減または最小化されうる。ＵＥは２つのグループ、すなわち、マクロＵＥとＰ２Ｐ  ＵＥとに分けられうる。マクロＵＥが偶数フレームにおいてＳＲＳを送信できるように、ＳＲＳ送信が設定されうる。例えば、図５に示すように、マクロＵＥ５０２は、偶数サブフレームのみにおいてＳＲＳを送信する。さらに、すべてのＰ２Ｐ  ＵＥ５０４が、奇数サブフレームのみにおいてＳＲＳを送信できるようにＳＲＳが設定される。偶数サブフレームでは、すべてのＰ２Ｐ  ＵＥ５０４が、最後のシンボル５０６においてサイレントとなり、ＰＳ２  ＵＥ５０４は、マクロＵＥ干渉を推定しうる。同様に、奇数サブフレームでは、マクロＵＥ５０２が、最後のシンボル５０８においてサイレントとなり、マクロＵＥ５０２は、Ｐ２Ｐ  ＵＥ干渉を推定しうる。得られた干渉推定値は、干渉制御のために使用されうる。さらに、ｅノード  Ｂは、取得された干渉推定値に基づいて、マクロＵＥに電力制御を適用しうる。１つの態様では、干渉は、４つのリソース・ブロックのグラニュラリティ（または、ＳＲＳ送信のために許可された最小グラニュラリティ）と比較される。
【００５３】
別の例では、ピア・トゥ・ピア・グループ間干渉管理を提供するために、サイレント期間が調整されうる。ピア・トゥ・ピア・グループは、ＵＥ特有のＳＲＳ設定にわたってインタレースされうる。言い換えれば、おのおののピア・トゥ・ピア・グループは、異なるサブフレームにおいてサイレントになるように設定されるので、おのおののピア・トゥ・ピア・グループは、他のピア・トゥ・ピア・グループからの干渉を推定しうる。この例では、マクロＵＥおよびピア・トゥ・ピア・デバイスは、セル特有のＳＲＳの規則にしたがうことが期待される。言い換えれば、ＳＲＳシンボルは、ＵＥ特有の設定に属さないサブフレームで送信されない。多数のインタレースにわたる干渉測定によって、マクロＵＥおよびその他のＰ２Ｐグループからの干渉を取得できるようになる。この測定値は、分配された電力制御および干渉管理を可能にするために、Ｐ２Ｐグループのグループ・オーナに伝送される。
【００５４】
前述の記載は主としてマクロＵＥに関するが、その他の電力クラスもまた考慮される。例えば、遠隔ラジオ・ヘッド・グループおよびピア・トゥ・ピア・グループは、互いから干渉を分離できうる。
【００５５】
１つの構成では、仮想ＳＲＳ送信を設定する手段を含むｅノードＢ１１０が、無線通信のために構成される。１つの態様では、設定する手段は、設定する手段によって詳述された機能を実行するように構成されたコントローラ／プロセッサ４４０およびスケジューラ４４４でありうる。ｅノード１１０はまた、干渉を測定する手段をも含むように構成される。１つの態様では、測定する手段は、測定する手段によって詳述された機能を実行するように構成された受信プロセッサ４３８でありうる。別の態様では、前述した手段は、前述した手段によって記述された機能を実行するように構成されたモジュールまたは任意の装置でありうる。
【００５６】
別の構成では、仮想ＳＲＳ（サウンディング基準信号）設定を受信する手段を含むＵＥ１２０が、無線通信のために構成される。１つの態様では、受信する手段は、設定する手段によって詳述された機能を実行するように構成された復調器４５４ａ−４５４ｒ、受信プロセッサ４５８、コントローラ／プロセッサ４８０、および／またはメモリ４８２でありうる。ＵＥ１２０はまた、干渉を測定する手段をも含むように構成される。１つの態様では、測定する手段は、測定する手段によって詳述された機能を実行するように構成された復調器４５４ａ−４５４ｒ、受信プロセッサ４５８、コントローラ／プロセッサ４８０、および／またはメモリ４８２でありうる。別の態様では、前述した手段は、前述した手段によって記述された機能を実行するように構成されたモジュールまたは任意の装置でありうる。
【００５７】
図６Ａは、設定された仮想ＳＲＳ送信を用いてサイレント期間を調整する方法６００を例示する。ブロック６０２において、ｅノードＢは、短縮された送信フォーマットを使用するようにＵＥに促す仮想ＳＲＳ送信を設定する。短縮された送信フォーマットは、サブフレームの終わりにサイレント期間を生成する。ブロック６０４において、ｅノードＢは、サイレント期間中に測定された干渉のレポートを受信する。
【００５８】
図６Ｂは、設定された仮想ＳＲＳ送信を用いてサイレント期間を調整する方法６２０を例示する。ブロック６２２において、ＵＥは、サブフレームにおいて、短縮された送信フォーマットを使用することと、このサブフレーム中は、ＳＲＳを送信しないこととをＵＥに指示する仮想ＳＲＳ設定を受信する。送信しないことによって、サブフレームの終わりにサイレント期間が生成される。ブロック６２４では、サイレント期間中の干渉が測定される。
【００５９】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６０】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６１】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００６２】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００６３】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013528033.tif 000003
【図２】
2013528033.tif 000004
【図３ａ】
2013528033.tif 000005
【図３ｂ】
2013528033.tif 000006
【図４】
2013528033.tif 000007
【図５】
2013528033.tif 000008
【図６Ａ】
2013528033.tif 000009
【図６Ｂ】
2013528033.tif 000010
【国際調査報告】
2013528033.tif 000011
2013528033.tif 000012